(57)【要約】【課題】利用者によるのめり込みを実効的に防止することを課題とする。【解決手段】デビット管理装置１００では、デビットカードが発行された利用者ごとに、当該利用者における所定期間当りの決済額の上限を示す利用上限金額を対応付けて記憶しておき、デビット子機６０から決済要求金額を含むデビット決済要求を受け付けた場合に、該決済要求金額を決済したとして仮定した利用者の仮定累積決済金額が当該利用者に対応付けて記憶した利用上限金額を超えるか否かを判定し、利用上限金額を超えると判定した場合に、デビットカード発行銀行の銀行サーバＡに対するデビット決済依頼を規制することで、利用者個人の懐具合に合った利用上限金額を用いてデビット決済依頼の規制を行うことができるようにしている。【選択図】        図２
2009219797.tif 000002
【特許請求の範囲】
【請求項１】
遊技店に配設されたデビット端末装置からデビット決済要求を受け付け、該受け付けたデビット決済要求に応答して所定の金融機関のサーバ装置にデビット決済依頼を行う情報処理センタのサーバ装置であって、
前記金融機関により記録媒体が発行された利用者ごとに、当該利用者における所定期間当りの決済額の上限を示す利用上限金額を対応付けて記憶する利用上限金額記憶手段と、
前記デビット端末装置から決済要求金額を含むデビット決済要求を受け付けた場合に、該決済要求金額を決済したとして仮定した利用者の仮定累積決済金額が前記利用上限金額記憶手段によって当該利用者に対応付けて記憶された利用上限金額を超えるか否かを判定する上限超過判定手段と、
前記上限超過判定手段によって利用上限金額を超えると判定された場合に、前記金融機関のサーバ装置に対するデビット決済依頼を規制する決済規制手段と
を備えたことを特徴とする情報処理センタのサーバ装置。
【請求項２】
前記利用上限金額の設定要求を受け付ける設定要求受付手段と、
前記設定要求受付手段によって設定要求が受け付けられた利用上限金額を当該設定要求を行う利用者に対応付けて前記利用上限金額記憶手段に設定する設定処理手段とをさらに備えたことを特徴とする請求項１に記載の情報処理センタのサーバ装置。
【請求項３】
前記設定処理手段は、前記利用上限金額記憶手段によって記憶された利用上限金額よりも前記設定要求受付手段によって設定要求が受け付けられた利用上限金額の方が大きい場合には、当該設定要求が所定の更新条件を満たす場合にのみ、前記利用上限金額記憶手段に対する利用上限金額の設定を実行することを特徴とする請求項２に記載の情報処理センタのサーバ装置。
【請求項４】
前記設定要求受付手段によって設定要求が受け付けられた利用上限金額がデビット決済を行う際の最低決済金額未満である場合に、当該設定要求を行う利用者に発行された記録媒体の利用を停止するように前記金融機関のサーバ装置に依頼する利用停止依頼手段をさらに備えたことを特徴とする請求項２または３に記載の情報処理センタのサーバ装置。
【請求項５】
遊技店に配設されたデビット端末装置からデビット決済要求を受け付け、該受け付けたデビット決済要求に応答して所定の金融機関のサーバ装置にデビット決済依頼を行う決済制御方法であって、
前記金融機関により記録媒体が発行された利用者ごとに、当該利用者における所定期間当りの決済額の上限を示す利用上限金額を対応付けて利用上限金額記憶手段に格納する利用上限金額格納工程と、
前記デビット端末装置から決済要求金額を含むデビット決済要求を受け付けた場合に、該決済要求金額を決済したとして仮定した利用者の仮定累積決済金額が前記利用上限金額記憶手段によって当該利用者に対応付けて記憶された利用上限金額を超えるか否かを判定する上限超過判定工程と、
前記上限超過判定工程によって利用上限金額を超えると判定された場合に、前記金融機関のサーバ装置に対するデビット決済依頼を規制する決済規制工程と
を含んだことを特徴とする決済制御方法。
【発明の詳細な説明】
【技術分野】
【０００１】
本発明は、遊技店に配設されたデビット端末装置からデビット決済要求を受け付け、該受け付けたデビット決済要求に応答して所定の金融機関のサーバ装置にデビット決済依頼を行う情報処理センタのサーバ装置及び決済制御方法に関する。
【背景技術】
【０００２】
従来、パチンコ遊技やスロット遊技などの遊技を提供する遊技システムにおいては、遊技客が記録媒体発行機に貨幣を投入することによって購入した遊技用記録媒体（以下、プリペイドカードと言う。）を遊技媒体貸出機に投入し、該投入されたカードの価値（例えば、貨幣の金額または金額に相当する価値を示す価値データ）に基づいて遊技媒体を貸し出す遊技媒体貸出システムがよく知られている。
【０００３】
ところが、プリペイドカードを現金でしか購入できないとすると、たとえ金融機関の預貯金残高を多く持つ遊技客であっても、手持ちの現金が無くなった時点で、金融機関に行って預貯金を下ろさねばならないため、継続して遊技を行うことができない。特に、遊技に熱中している遊技客にとっては、遊技を中断して金融機関に向かうのは極めて煩わしいことであり、遊技店は、かかる不便に対する対処を望まれていた。
【０００４】
このため、近年では、所定の金融機関のセンタ若しくはその代行センタに対してデビット決済依頼を行い、このデビット決済依頼に応答して決済された決済額を遊技用記録媒体に価値付けるデビット決済システムが採用されている（例えば、特許文献１参照）。
【０００５】
具体的には、店舗外部の決済センタ（情報処理センタ）と回線接続されたデビット子機を遊技店内のカード発行機に隣接配置し、遊技客からデビットカード（銀行や郵便貯金のキャッシュカード）の挿入とともにデビット決済要求を受け付けたならば、情報処理センタを介して金融機関にデビット決済依頼を行い、このデビット決済依頼に応答して決済された決済額でプリペイドカードを購入できるようにしている。
【０００６】
ところが、このようなデビット決済を利用した遊技媒体貸出システムにおいては、デビット決済によりプリペイドカードを購入することができる反面で、利用者が自身の余剰資金以上の金額を購入するのめり込みを招くおそれがある。
【０００７】
これを背景にして、所定期間（例えば、１日）内に認める決済額に上限（利用上限金額）を設けておき、デビット決済要求で指定された決済要求金額を決済したとして仮定した仮定累積決済金額が利用上限金額（例えば、３万円）を超える場合に、そのデビット決済を規制する技術が考案されている。
【０００８】
【特許文献１】特開２００２−０００８８９号公報
【発明の開示】
【発明が解決しようとする課題】
【０００９】
しかしながら、上述のように、システムが定めた利用上限金額でデビット決済を規制しようとしても、実際には、同じ金額であっても各々の利用者にとって重みが異なり、このように一義的に定めた利用上限金額では、利用者によるのめり込みを実効的に防止することが困難であるという問題があった。
【００１０】
すなわち、遊技に投資する金額を２万円に抑えたい遊技客もいれば、５千円に抑えたい遊技客も存在するが、これらの遊技客がデビット決済を利用する場合であっても１日あたり３万円まで決済を行うことができてしまい、各々の余剰資金以上の金額を遊技に投資してしまうこととなる。
【００１１】
このことから、デビット決済を規制する場合に、いかにして各々の遊技客の余剰資金を超える際に規制を行うかが重要な課題となっている。
【００１２】
そこで、本発明は、上述した従来技術による課題（問題点）を解消するためになされたものであり、利用者によるのめり込みを実効的に防止することができる情報処理センタのサーバ装置及び決済制御方法を提供することを目的とする。
【課題を解決するための手段】
【００１３】
上述した課題を解決し、目的を達成するために、本発明に係る情報処理センタのサーバ装置は、遊技店に配設されたデビット端末装置からデビット決済要求を受け付け、該受け付けたデビット決済要求に応答して所定の金融機関のサーバ装置にデビット決済依頼を行う情報処理センタのサーバ装置であって、前記金融機関により記録媒体が発行された利用者ごとに、当該利用者における所定期間当りの決済額の上限を示す利用上限金額を対応付けて記憶する利用上限金額記憶手段と、前記デビット端末装置から決済要求金額を含むデビット決済要求を受け付けた場合に、該決済要求金額を決済したとして仮定した利用者の仮定累積決済金額が前記利用上限金額記憶手段によって当該利用者に対応付けて記憶された利用上限金額を超えるか否かを判定する上限超過判定手段と、前記上限超過判定手段によって利用上限金額を超えると判定された場合に、前記金融機関のサーバ装置に対するデビット決済依頼を規制する決済規制手段とを備えたことを特徴とする。
【００１４】
また、本発明に係る情報処理センタのサーバ装置は、上記の発明において、前記利用上限金額の設定要求を受け付ける設定要求受付手段と、前記設定要求受付手段によって設定要求が受け付けられた利用上限金額を当該設定要求を行う利用者に対応付けて前記利用上限金額記憶手段に設定する設定処理手段とをさらに備えたことを特徴とする。
【００１５】
また、本発明に係る情報処理センタのサーバ装置は、上記の発明において、前記設定処理手段は、前記利用上限金額記憶手段によって記憶された利用上限金額よりも前記設定要求受付手段によって設定要求が受け付けられた利用上限金額の方が大きい場合には、当該設定要求が所定の更新条件を満たす場合にのみ、前記利用上限金額記憶手段に対する利用上限金額の設定を実行することを特徴とする。
【００１６】
また、本発明に係る情報処理センタのサーバ装置は、上記の発明において、前記設定要求受付手段によって設定要求が受け付けられた利用上限金額がデビット決済を行う際の最低決済金額未満である場合に、当該設定要求を行う利用者に発行された記録媒体の利用を停止するように前記金融機関のサーバ装置に依頼する利用停止依頼手段をさらに備えたことを特徴とする。
【００１７】
また、本発明に係る決済制御方法は、遊技店に配設されたデビット端末装置からデビット決済要求を受け付け、該受け付けたデビット決済要求に応答して所定の金融機関のサーバ装置にデビット決済依頼を行う決済制御方法であって、前記金融機関により記録媒体が発行された利用者ごとに、当該利用者における所定期間当りの決済額の上限を示す利用上限金額を対応付けて利用上限金額記憶手段に格納する利用上限金額格納工程と、前記デビット端末装置から決済要求金額を含むデビット決済要求を受け付けた場合に、該決済要求金額を決済したとして仮定した利用者の仮定累積決済金額が前記利用上限金額記憶手段によって当該利用者に対応付けて記憶された利用上限金額を超えるか否かを判定する上限超過判定工程と、前記上限超過判定工程によって利用上限金額を超えると判定された場合に、前記金融機関のサーバ装置に対するデビット決済依頼を規制する決済規制工程とを含んだことを特徴とする。
【発明の効果】
【００１８】
本発明によれば、金融機関により記録媒体が発行された利用者ごとに、当該利用者における所定期間当りの決済額の上限を示す利用上限金額を対応付けて記憶しておき、決済要求金額を含むデビット決済要求を受け付けた場合に、該決済要求金額を決済したとして仮定した利用者の仮定累積決済金額が当該利用者に対応付けて記憶した利用上限金額を超えるか否かを判定し、利用上限金額を超えると判定した場合に、金融機関のサーバ装置に対するデビット決済依頼を規制するように構成したので、利用者個人の懐具合に合った利用上限金額を用いてデビット決済依頼の規制を行うことができ、デビット決済を規制する場合に各々の遊技客（利用者）の余剰資金を超える際に規制を行うことができる結果、利用者によるのめり込みを実効的に防止することが可能になるという効果を奏する。
【００１９】
また、本発明によれば、利用上限金額の設定要求を受け付け、設定要求を受け付けた利用上限金額を当該設定要求を行う利用者に対応付けて設定するように構成したので、たとえば臨時収入があったときには利用上限金額を上げ、出費が多いときには利用上限金額を下げることができ、利用者個人の懐具合の変動に応じて利用上限金額を設定し直すことが可能になるという効果を奏する。
【００２０】
また、本発明によれば、記憶した利用上限金額よりも設定要求を受け付けた利用上限金額の方が大きい場合には、当該設定要求が所定の更新条件を満たす場合にのみ、利用上限金額の設定を実行するように構成したので、のめり込みに無関係な利用上限金額の下げ設定については無条件に許容しつつ、利用上限金額の頻繁な上げ設定を防止することができ、利用者によるのめり込みをより実効的に防止することが可能になるという効果を奏する。
【００２１】
また、本発明によれば、設定要求を受け付けた利用上限金額がデビット決済を行う際の最低決済金額未満である場合に、当該設定要求を行う利用者に発行された記録媒体の利用を停止するように金融機関のサーバ装置に依頼するように構成したので、あまり意味のない設定操作を金融機関発行の記録媒体の利用停止操作として代用することができ、迅速かつ簡易に金融機関発行の記録媒体の利用を停止させることが可能になるという効果を奏する。
【発明を実施するための最良の形態】
【００２２】
以下の添付図面を参照して、本発明に係る情報処理センタのサーバ装置（決済制御方法）を実現するデビット管理装置の好適な実施例を詳細に説明する。なお、以下では、本発明に係るデビット管理装置を実施例１として説明した後に、本発明に含まれる他の実施例を実施例２として説明する。
【実施例１】
【００２３】
以下の実施例１では、本実施例に係るデビット管理装置の概要および特徴、このデビット管理装置の構成および処理の流れを順に説明する。
【００２４】
［概要および特徴］
まず、図１を用いて、実施例１に係るデビット管理装置を含むデビット決済システムのシステム構成を説明し、このデビット決済システムにおけるデビット管理装置の位置付けを明確にしてから、実施例１に係るデビット管理装置の概要および特徴を説明する。
【００２５】
図１は、実施例１に係るデビット決済システムのシステム構成を示すシステム構成図である。同図に示すように、デビット決済システム１には、遊技店に配設されるデビット子機６０並びに金融機関（下記のデビットカード発行銀行）からデビットカードの発行を受けた利用者が保有する利用者端末２００が公衆回線網３を介して情報処理センタのデビット管理装置１００に接続され、このデビット管理装置１００が図示しないクリアリングセンタを内在するＣＡＦＩＳ（Credit  and  Finance  Information  System）ネットワーク５を介してデビットカード発行銀行内の銀行サーバＡ及び加盟店銀行内の銀行サーバＢに接続される接続関係を有する。
【００２６】
この遊技店内には、プリペイドカードに関連付けられた関連付け情報を管理するカード管理用ターミナルコントローラ（以下、「プリペイドカードＴ／Ｃ」と言う）１０と、島コントローラ２０と、カード処理ユニット（以下、「ＣＲユニット」と言う）３０と、パチンコ機４０と、カード発行機５０と、デビット子機６０とが設けられている。
【００２７】
そして、プリペイドカードＴ／Ｃ１０には、島コントローラ２０及びカード発行機５０が接続されており、島コントローラ２０には、各島に設置された複数のパチンコ機４０にそれぞれに併設されたＣＲユニット３０が接続されており、さらに、カード発行機５０には、デビット子機６０が接続されている。
【００２８】
ＣＲユニット３０は、プリペイドカードＴ／Ｃ１０と各パチンコ機４０との間に介在し、プリペイドカードＴ／Ｃ１０に対してプリペイドカードの有価価値の残高（プリペイド残額）の問合せ、価値付け要求（加算要求）や減算要求を行うとともに、プリペイドカードにプリペイド残額がある場合にパチンコ機４０に対して玉投出指示を行う装置である。
【００２９】
パチンコ機４０は、パチンコ玉を遊技領域に発射して遊技者がパチンコ遊技を行う装置であり、本実施例では、プリペイドカード対応のいわゆるＣＲパチンコ機であるものとしている。
【００３０】
カード発行機５０は、有価価値を価値付けたプリペイドカードを発行する装置であり、具体的には、遊技客によって現金（紙幣）が投入され、その紙幣の範囲内で購入金額の指定を受け付けた場合、或いはデビット子機６０によって決済額（購入金額）が通知された場合に、図示しない内蔵カード（残額なし）のプリペイドカードＩＤに対応するプリペイド残額を購入金額分について加算する価値付け依頼をプリペイドカードＴ／Ｃ１０に行い、プリペイドカードＴ／Ｃ１０からの価値付け完了通知に応答して当該内蔵カードをカード排出口に繰り出すことにより、プリペイド残額が価値付けられたプリペイドカードを発行する。
【００３１】
デビット子機６０は、カード発行機５０に併設され、通信可能に接続されており、デビットカード、該デビットカードに対応付けられた暗証番号及び決済要求金額を受け付けた場合には、この決済要求額のデビット決済要求を公衆回線網３を介して情報処理センタのデビット管理装置１００に対して行う端末装置である。
【００３２】
プリペイドカードＴ／Ｃ１０は、プリペイド残額管理テーブルを用いてプリペイドカードのプリペイド残額を統括管理する管理装置である。このプリペイド残額管理テーブルは、プリペイドカードＩＤにプリペイド残額を対応付けて記憶している。そして、ＣＲユニット３０またはカード発行機５０からプリペイドカードＩＤを含む残額更新依頼を受け付けた場合には、プリペイド残額管理テーブル内において当該プリペイドカードＩＤに対応するプリペイド残額を更新する。
【００３３】
利用者端末２００は、利用者が保有する情報処理装置であり、後述する利用上限金額を設定するためにデビット管理装置１００にアクセスするための装置である。なお、利用者端末２００は、パーソナルコンピュータなど固定端末であってもよいし、携帯電話、ＰＨＳやＰＤＡなどの移動体端末であってもかまわない。
【００３４】
デビット管理装置１００は、デビット子機６０からのデビット決済要求を受け付ける情報処理センタ所属のサーバ装置であり、かかるデビット決済要求を受け付けたならば、ＣＡＦＩＳネットワーク５を介して遊技客（利用者）の銀行口座が設けられているデビットカード発行銀行の銀行サーバＡに対してデビット決済依頼を行う。そして、このデビット決済依頼を受け付けた銀行サーバＡでは、情報処理センタの口座を有する加盟店銀行の銀行サーバＢと協働して、デビットカード発行銀行の遊技客の銀行口座から情報処理センタの口座に決済要求額を引き落とすデビット決済処理を実行する。その後、デビット決済に際して手数料等が設けられている場合には手数料を差し引いた金額、また、手数料が設けられていない場合には決済額が、この加盟店銀行に存在する情報処理センタの口座から遊技店によって所定の金融機関で開設された口座に振り込まれる。
【００３５】
ここで、本実施例に係るデビット管理装置１００は、デビット子機６０からデビット決済要求を受け付け、該受け付けたデビット決済要求に応答してデビットカード発行銀行の銀行サーバＡにデビット決済依頼を行うことを概要とし、デビットカードが発行された利用者ごとに、当該利用者における所定期間当りの決済額の上限を示す利用上限金額を対応付けて記憶しておき、デビット子機６０から決済要求金額を含むデビット決済要求を受け付けた場合に、該決済要求金額を決済したとして仮定した利用者の仮定累積決済金額が当該利用者に対応付けて記憶した利用上限金額を超えるか否かを判定し、利用上限金額を超えると判定した場合に、デビットカード発行銀行の銀行サーバＡに対するデビット決済依頼を規制する点にその特徴がある。
【００３６】
すなわち、このデビット管理装置１００では、デビットカード発行銀行の銀行サーバＡに対するデビット決済依頼を利用上限金額を用いて規制するが、上述した従来技術のように、システム側によって一義的に定められた金額ではなく、デビット決済を通じてプリペイドカードを購入する遊技客（利用者）それぞれに合せて定められた金額を記憶しておき、かかる利用上限金額を用いてデビット決済依頼の規制を行う。
【００３７】
このため、たとえば遊技に投資する金額を２万円に抑えたい遊技客の場合には、利用上限金額を２万円に設定しておくことで、決済要求金額を含めた仮定累積決済金額が２万円を超えるデビット決済要求を棄却でき、また、遊技に投資する金額を５千円に抑えたい遊技客の場合には、利用上限金額を５千円に設定しておくことで、決済要求金額を含めた仮定累積決済金額が５千円を超えるデビット決済要求を棄却できる。
【００３８】
したがって、本実施例に係るデビット管理装置１００によれば、利用者個人の懐具合に合った利用上限金額を用いてデビット決済依頼の規制を行うことができ、デビット決済を規制する場合に各々の遊技客（利用者）の余剰資金を超える際に規制を行うことができる結果、利用者によるのめり込みを実効的に防止することが可能になる。
【００３９】
［デビット管理装置の構成］
続いて、図１に示したデビット管理装置１００の構成について説明する。図２は、図１に示したデビット管理装置１００の構成を示す機能ブロック図である。同図に示すように、このデビット管理装置１００は、通信Ｉ／Ｆ部１１０と、記憶部１２０と、制御部１３０とを有する。
【００４０】
通信Ｉ／Ｆ部１１０は、デビット管理装置１００と他の装置（例えば、デビット子機６０、利用者端末２００や銀行サーバＡなどの他の装置）との間で各種通信を行うためのインターフェースである。
【００４１】
記憶部１２０は、ハードディスク装置や不揮発性メモリ等の記憶デバイスであり、利用者の属性情報を管理する利用者情報管理テーブル１２１と、利用者のデビット決済に関する利用履歴を管理する利用履歴管理テーブル１２２と、利用上限金額を管理する利用上限金額管理テーブル１２３とを記憶する。
【００４２】
利用者情報管理テーブル１２１は、図３に示すように、デビットカード発行銀行から利用者に付与された口座番号ごとに、氏名、住所、暗証番号などの利用者の属性情報を記憶したテーブルである。
【００４３】
利用履歴管理テーブル１２２は、図４に示すように、デビットカード発行銀行から利用者に付与された口座番号ごとに、累積決済金額、利用回数などの利用履歴を記憶したテーブルである。ここで、累積決済金額は、本日にデビット子機６０で決済された累計額を示し、また、利用回数は、本日にデビット子機６０でデビット回数が行われた回数を示し、これら両者は、日付が替わるごとに値がゼロにリセットされる。なお、ここでは、１日分の利用履歴だけを記憶することとしたが、複数日の利用履歴を記憶するようにしてもよいし、また、利用履歴として管理する期間の長さも１日に限らず任意の期間に設定することができる。
【００４４】
利用上限金額管理テーブル１２３は、図５に示すように、デビットカード発行銀行から利用者に付与された口座番号ごとに利用上限金額を記憶したテーブルである。ここで、利用上限金額は、利用者に１日当りで認める決済額の上限を示し、利用者端末２００を介して後述する利用上限金額設定部１３１によって設定登録されない限りは、たとえば一律３万円がデフォルトの設定金額として登録されており、利用者端末２００を介して設定要求を受け付けると受付金額がデフォルト設定の３万円以内であるならばその受付金額が利用上限金額として設定登録される。
【００４５】
図４及び図５に示した例で言えば、口座番号１２３−４５６７８９００の利用者は、本日に５０００円のデビット決済を既に行っており、利用者自身が利用上限金額を１００００円に定めていることから、あと５０００円までのデビット決済が可能な状態を示しており、一方、口座番号２２３−４５６９８７１１の利用者は、本日に１５０００円のデビット決済を既に行っているが、利用上限金額をデフォルト設定（３００００円）のまま変更していないため、あと１５０００円のデビット決済が可能な状態を示している。
【００４６】
制御部１３０は、デビット管理装置１００を全体制御する制御部であり、利用上限金額設定部１３１と、上限超過判定部１３２と、決済規制部１３３と、決済処理部１３４とを有する。実際には、これらの機能部に対応するプログラムを図示しないＲＯＭや不揮発性メモリに記憶しておき、これらのプログラムをＣＰＵにロードして実行し、利用上限金額設定部１３１、上限超過判定部１３２、決済規制部１３３及び決済処理部１３４にそれぞれ対応するプロセスを実行させることになる。
【００４７】
利用上限金額設定部１３１は、利用上限金額管理テーブル１２３内に記憶された利用上限金額の設定を行う処理部であり、公衆回線網３を介して利用者端末２００との間で利用上限金額の設定に関するＷｅｂページの授受を行うためにＷｅｂサーバとしての機能を有する。つまり、利用者端末２００との間でＷｅｂページの授受を通じて利用上限金額の設定要求を受け付け、設定要求として受け付けた利用上限金額がデフォルト設定金額（本例では３万円）以下である場合に利用者端末２００から受け付けた利用上限金額を利用上限金額管理テーブル１２３に設定登録する。
【００４８】
より具体的には、インタネット上の情報処理センタのサイトなどに利用上現金額を設定するリンクを設けておき、利用者端末２００上でこのリンクに対するアクセス操作がなされると、利用者端末２００からリンクに対応するＷｅｂページの取得要求が行われるので、利用上限金額の設定を行う利用者を特定すべく、利用者情報入力画面（図７参照）を利用者端末２００に返信する。そして、利用者端末２００で利用者情報入力画面の入力フォームに沿って口座番号および暗証番号を入力させ、口座番号および暗証番号が入力済みの利用者情報入力画面が再度返信されると、利用者情報管理テーブル１２１を参照して口座番号から利用者を特定し、口座番号とともに受け付けた暗証番号がテーブル内に登録されている暗証番号と一致するか否かを照合する利用者本人認証を行う。この時、両暗証番号が一致した場合には、入力を受け付けた口座番号に対応する利用上限金額を利用上限金額管理テーブル１２３から読み出し、該読み出した利用上限金額を含めた利用上限金額設定画面を利用者端末２００に送信し、利用者端末２００上で利用上限金額設定画面の入力フォームに沿って利用上限金額を入力させる。その後、利用上限金額が入力済みの利用上限金額設定画面が再度返信されると、入力を受け付けた利用上限金額がデフォルト設定金額を超えない限りは先に受け付けておいた口座番号に対応付けて当該利用上限金額を利用上限金額管理テーブル１２３に登録する。
【００４９】
なお、本実施例では、利用者が利用者端末２００を通じて利用上限金額を設定する際に利用者の本人認証を行うために利用者の属性情報を利用者情報管理テーブル１２１に記憶しておくこととしたが、当然のことながら利用者が口座を保有するデビットカード発行銀行の銀行サーバＡには利用者の属性情報が登録されているので、利用上限金額の設定が行われる度に銀行サーバＡから利用者の属性情報を取得するように後述する利用上限金額設定部１３１を構成してもかまわない。
【００５０】
上限超過判定部１３２は、デビット決済要求における決済要求金額を決済したとして仮定した利用者の仮定累積決済金額が利用上限金額管理テーブル１２３によって当該利用者に対応付けて記憶された利用上限金額を超えるか否かを判定する処理部である。具体的には、デビット子機６０からキャッシュカード情報及び決済要求金額を含むデビット決済要求を受け付けた場合に、キャッシュカード情報に含まれる口座番号に対応する累積決済金額を利用履歴管理テーブル１２２から読み出すとともに、該口座番号に対応する利用上限金額を利用上限金額管理テーブル１２３から読み出し、読み出した累積決済金額に決済要求金額を加算した加算値が利用上限金額以内であるか否かを判定する。
【００５１】
決済規制部１３３は、デビットカード発行銀行の銀行サーバＡに対するデビット決済依頼を規制する処理部であり、具体的には、上限超過判定部１３２によって利用上限金額を超えると判定された場合に、当該利用者の余剰資金を超えるものと見做してデビット決済依頼を銀行サーバＡに行わずに、デビット子機６０に対して当該デビット決済を規制する旨を通知し、デビット決済要求が利用上限金額を超えるものであることをデビット子機６０に報知させる。
【００５２】
決済処理部１３４は、デビットカード発行銀行の銀行サーバＡに対するデビット決済依頼を規制する処理部である。具体的には、上限超過判定部１３２によって利用上限金額以下であると判定された場合に、キャッシュカード情報に含まれるデビットカード発行銀行の銀行番号、支店番号、口座番号をもとに、デビットカード発行銀行の銀行サーバＡにデビット決済依頼を行い、銀行サーバＡからデビット決済結果を受け付ける。その結果、デビット決済が正常になされなかった場合には、その決済不能事由（例えば、取引時間外または残額不足である旨など）を含む決済ＮＧ通知をデビット子機６０に送信し、デビット決済が正常になされた場合には、利用履歴管理テーブル１２２内の累積決済金額に決済額を加算する更新を行った後にデビット決済完了通知をデビット子機６０に送信する。
【００５３】
［処理の流れ］
次に、本実施例に係るデビット管理装置の処理の流れについて詳細に説明する。なお、以下では、利用者固有の利用上限金額を設定する（１）利用上限金額設定処理を説明してから、その利用上限金額を用いてデビット決済の規制または依頼を行う（２）デビット決済処理を説明する。
【００５４】
（１）利用上限金額設定処理
前述したように、本実施例に係る利用上限金額設定処理について説明する。図６は、実施例１に係る利用上限金額設定処理に関する利用者端末およびデビット管理装置間の制御シーケンスを示す図である。
【００５５】
同図に示すように、利用者端末２００では、たとえばインタネット上の情報処理センタのサイトなどに設けられた利用上現金額を設定するリンク（ＵＲＬ）を指定する入力操作を受け付けると（ステップＳ１０１）、当該リンクに対応するＷｅｂページの取得要求をデビット管理装置１００に行う（ステップＳ１０２）。
【００５６】
このＷｅｂページの取得要求を受け付けたデビット管理装置１００の利用上限金額設定部１３１は、利用者情報入力画面（図７参照）を利用者端末２００に返信する（ステップＳ１０３）。例えば、図７に示す例では、利用上限金額の設定を行う利用者の特定、ひいては利用者の本人認証を行うべく、利用者情報入力画面には、口座番号および暗証番号の入力フォームを設けている。
【００５７】
この利用者情報入力画面を取得した利用者端末２００では、その利用者情報入力画面の入力フォームに沿って口座番号および暗証番号などの利用者情報の入力を受け付け（ステップＳ１０４）、該受け付けた利用者情報（口座番号および暗証番号）をデビット管理装置１００に送信する（ステップＳ１０５）。
【００５８】
これら口座番号および暗証番号を受け付けた利用上限金額設定部１３１は、その口座番号を用いて利用者情報管理テーブル１２１を検索することにより利用者を特定し（ステップＳ１０６）、口座番号とともに受け付けた暗証番号が同テーブル１２１内に登録されている暗証番号と一致するか否かを照合する利用者本人認証を行う（ステップＳ１０７）。なお、この時、受付暗証番号と登録暗証番号が一致しなかった場合には、利用者本人からの設定要求ではないおそれがあるため、暗証番号ＮＧ通知が返信される。
【００５９】
利用者本人であることが確認されると、利用上限金額設定部１３１は、利用者情報入力画面での入力操作を通じて受け付けた口座番号に対応する利用上限金額を利用上限金額管理テーブル１２３から読み出し（ステップＳ１０８）、該読み出した利用上限金額を含めた利用上限金額設定画面（図８参照）を利用者端末２００に送信する（ステップＳ１０９）。例えば、図８に示す例では、現在採用している利用上限金額を入力フォームに入力候補として待機させておくとともに、設定金額をデフォルト設定に戻すボタン等を併せて表示させる。
【００６０】
この利用上限金額設定画面を取得した利用者端末２００は、その利用上限金額画面の入力フォームに沿って利用上限金額の入力を受け付け（ステップＳ１１０）、該受け付けた利用上限金額をデビット管理装置１００に送信する（ステップＳ１１１）。例えば、図８に示した例では、利用上限金額を変更しない場合には、マウスまたはｅｎｔｅｒキーを介して決定ボタンを押下すればよく、新たに利用上限金額を設定しなおす場合には、テンキーを介して金額を入力した後にマウスまたはｅｎｔｅｒキーを入力すればよく、また、デフォルト設定に戻す場合には、初期値ボタンを押下すれば３００００円が入力候補として表示される。
【００６１】
この利用上限金額を受け付けた利用上限金額設定部１３１は、利用上限金額設定画面での入力操作を通じて受け付けた利用上限金額がデフォルト設定金額（本例では３万円）を超えない限りは先に受け付けておいた口座番号に対応付けて当該利用上限金額を利用上限金額管理テーブル１２３に登録し（ステップＳ１１２）、利用上限金額の設定完了を報知する更新完了画面（図９参照）を返信し（ステップＳ１１３）、処理を終了する。例えば、図９に示した例では、利用上限金額及びその設定完了を報知している。
【００６２】
このようにして利用上限金額管理テーブル１２３に設定された利用者固有の利用上限金額がデビット決済を規制するか否かの判定基準として用いられることになる。
【００６３】
（２）デビット決済処理
次に、本実施例に係るデビット決済処理について説明する。図１０は、実施例１に係るデビット決済処理に関するカード発行機、デビット子機、デビット管理装置および銀行サーバ間の制御シーケンスを示す図である。
【００６４】
同図に示すように、デビット子機６０は、図示しないカード挿入口にデビットカードが挿入されるとデビットカードから銀行番号、支店番号及び口座番号などのキャッシュカード情報を読み取り（ステップＳ２０１）、決済に必要な情報、たとえば決済要求金額および暗証番号の入力を受け付け（ステップＳ２０２）、その後、デビット決済開始操作を受け付けると（ステップＳ２０３）、キャッシュカード情報、決済要求金額および暗証番号を含むデビット決済要求を情報処理センタ内のデビット管理装置１００に行う（ステップＳ２０４）。具体的には、決済要求金額の入力は、カード発行機５０で行われ、デビット子機６０に通知される。
【００６５】
このデビット決済要求を受け付けたデビット管理装置１００の上限超過判定部１３２は、キャッシュカード情報に含まれる口座番号に対応する累積決済金額を利用履歴管理テーブル１２２から読み出すとともに（ステップＳ２０５）、該口座番号に対応する利用上限金額を利用上限金額管理テーブル１２３から読み出し（ステップＳ２０６）、読み出した累積決済金額に決済要求金額を加算した加算値が利用上限金額以内であるか否かを判定する（ステップＳ２０７）。
【００６６】
ここで、決済要求金額及び累積決済金額の加算値が利用上限金額を超える場合（ステップＳ２０７否定）には、決済規制部１３３は、当該利用者の余剰資金を超えるものと見做してデビット決済依頼を銀行サーバＡに行わずに、デビット子機６０に対して当該デビット決済を規制する旨を通知し（ステップＳ２０８）、この決済規制通知を受け付けたデビット子機６０では、デビット決済要求が利用上限金額を超えることを理由に決済要求が棄却された旨を表示部等に表示させることにより報知し（ステップＳ２０９）、キャッシュカードを返却して処理を終了する。
【００６７】
また、決済要求金額及び累積決済金額の加算値が利用上限金額以下である場合（ステップＳ２０７肯定）には、決済処理部１３４は、キャッシュカード情報に含まれるデビットカード発行銀行の銀行番号、支店番号、口座番号をもとに、デビットカード発行銀行の銀行サーバＡにデビット決済依頼を行う（ステップＳ２１０）。
【００６８】
このデビット決済依頼を受け付けた銀行サーバＡでは、情報処理センタの口座を有する加盟店銀行の銀行サーバＢと協働して、デビットカード発行銀行の遊技客の銀行口座から情報処理センタの口座に決済要求額を引き落とすデビット決済処理を実行し（ステップＳ２１１）、このデビット決済結果をデビット管理装置１００に返信する（ステップＳ２１２）。なお、この時、遊技客の銀行口座の残額が決済要求金額に満たない場合やデビットカード発行銀行または加盟店銀行が取引時間外である場合には、デビット決済は行わずに決済不能事由とともにデビット決済結果がデビット管理装置１００に返信されることは言うまでもない。
【００６９】
このとき、デビット管理装置１００の決済処理部１３４は、デビット決済結果としてデビット決済が正常に実行されなかった旨の応答を受け付けた場合（ステップＳ２１３否定）には、その決済不能事由（例えば、取引時間外または残額不足である旨など）を含む決済ＮＧ通知をデビット子機６０に送信し（ステップＳ２１４）、デビット子機６０にデビット決済に失敗した旨とともに決済不能事由を報知させ（ステップＳ２１５）、キャッシュカードを返却して処理を終了する。
【００７０】
一方、デビット管理装置１００の決済処理部１３４は、デビット決済結果としてデビット決済が正常に実行された旨の応答を受け付けた場合（ステップＳ２１３肯定）には、利用履歴管理テーブル１２２内の累積決済金額に決済額を加算する更新を行い（ステップＳ２１６）、その後にデビット決済完了通知をデビット子機６０に送信する（ステップＳ２１７）。
【００７１】
このデビット決済完了通知を受け付けたデビット子機６０は、カード発行機５０にプリペイドカードの発行を要請すべく、当該デビット決済の決済金額をカード発行機５０に通知し（ステップＳ２１８）、この決済金額通知を受け付けたカード発行機５０では、当該決済金額分のプリペイド残額を内蔵カードのプリペイドカードＩＤに加算する価値付け処理を行い（ステップＳ２１９）、キャッシュカードを返却して処理を終了する。
【００７２】
上述してきたように、本実施例では、デビットカードが発行された利用者ごとに、当該利用者における所定期間当りの決済額の上限を示す利用上限金額を対応付けて記憶しておき、デビット子機６０から決済要求金額を含むデビット決済要求を受け付けた場合に、該決済要求金額を決済したとして仮定した利用者の仮定累積決済金額が当該利用者に対応付けて記憶した利用上限金額を超えるか否かを判定し、利用上限金額を超えると判定した場合に、デビットカード発行銀行の銀行サーバＡに対するデビット決済依頼を規制するように構成したので、利用者個人の懐具合に合った利用上限金額を用いてデビット決済依頼の規制を行うことができ、デビット決済を規制する場合に各々の遊技客（利用者）の余剰資金を超える際に規制を行うことができる結果、利用者によるのめり込みを実効的に防止することが可能になる。
【００７３】
また、本実施例では、利用者端末２００から利用上限金額の設定要求を受け付け、設定要求を受け付けた利用上限金額を当該設定要求を行う利用者に対応付けて利用上限金額管理テーブル１２３に設定登録するように構成したので、たとえば臨時収入があったときには利用上限金額を上げ、出費が多いときには利用上限金額を下げることができ、利用者個人の懐具合の変動に応じて利用上限金額を設定し直すことが可能になる。
【実施例２】
【００７４】
さて、これまで本発明の実施例について説明したが、本発明は上述した実施例以外にも、種々の異なる形態にて実施されてよいものである。そこで、以下では、本発明に含まれる他の実施例を説明する。
【００７５】
（１）利用上限金額の設定
例えば、上記した実施例１では、システム側で定められたデフォルト設定金額（本例では３万円）の範囲内で利用上限金額を自由に設定させることとしたが、設定前よりも利用上限金額を上昇させる設定変更の場合には制約を設けるようにしてもよい。
【００７６】
すなわち、利用上限金額を頻繁に上昇させる傾向にある場合には、遊技にのめり込んでいる可能性が高いことから、たとえば前回に利用上限金額を上げた時から一定期間（例えば、一時間、一週間や一ヶ月など）が経過した場合やその一定期間内の利用回数が所定回数（例えば、５回）を超えない場合などに限って利用上限金額の上げ設定を許容することにより、のめり込みに無関係な利用上限金額の下げ設定については無条件に許容しつつ、利用上限金額の頻繁な上げ設定を防止することができ、利用者によるのめり込みをより実効的に防止することが可能になる。
【００７７】
なお、上記した実施例１では、情報処理センタのＷｅｂサイトに手動操作でアクセスさせる例を説明したが、必ずしも手動操作を行わせる必要はない。例えば、利用上限金額の設定を行うためのアプリケーションを利用者端末２００にダウンロードさせ、かかるアプリケーションを通じて利用上限金額の設定を受け付けておけば、所定の時間（例えば、午前０時など）に至ると、デビット管理装置１００に利用上限金額の設定依頼コマンドが記述されたメールを自動的に送信したり、情報処理センタのＷｅｂサイトに自動的にアクセスするようにアプリケーションを機能させてもよい。
【００７８】
また、本発明では、設定要求が受け付けられた利用上限金額がデビット決済を行う際の最低決済金額未満である場合に、当該設定要求を行う利用者に発行されたデビットカードの利用を停止するようにデビットカード発行銀行の銀行サーバＡに依頼するようにしてもよい。
【００７９】
すなわち、多くの遊技店においては、玉貸しの貸出単位金額（一度の操作で貸し出される金額）を５００円から１０００円程度に設定している遊技店が多く、この金額未満の金額ではパチンコ玉を借り受けることはできないことから、デビット決済に際しても決済要求金額として受け付ける最低決済金額を少なくとも貸出単位金額以上と定めている。
【００８０】
そして、利用上限金額が最低決済金額未満に設定されるとデビット決済を行うことはできず、意味合いとしては遊技店でのデビットカードの利用を禁止する意思表示に近くなる。そこで、かかる意味合いを拡張し、あえて利用上限金額を最低決済金額以下に設定する設定要求を受け付けた場合には、デビットカードの利用停止を要求する操作と定義付けておくことにより、あまり意味のない設定操作をデビットカードの利用停止操作として代用することができ、迅速かつ簡易にカード利用を停止させることができる。
【００８１】
さらに、本発明では、利用上限金額が最低決済金額未満に設定されたデビットカードをデビット子機６０で受け付けた場合には、当該デビットカードをデビット子機６０の内部に取り込ませるようにしてもよい。また、デビット子機６０の表示部や従業員所持のインカム等にその旨を併せて報知するようにしてもよい。
【００８２】
すなわち、これによって、盗難または紛失に遭ったデビットカードが不正利用されることを防止するとともに、そのデビットカード、ひいては不正利用を行う不正者を確保することが可能になる。
【００８３】
（２）デビット決済の規制
例えば、上記した実施例１では、決済要求金額及び累積決済金額の和が利用上限金額を超える場合にデビット決済依頼を規制する例を説明したが、デビット決済依頼を規制する条件は必ずしも利用上限金額の超過である必要はなく、利用履歴からのめり込み傾向を推定し、利用者がのめり込み傾向にある場合には、当該利用者からのデビット決済依頼を規制するようにしてもよい。
【００８４】
より具体的には、のめり込みを推定するためには、利用履歴管理テーブル１２２に累積決済金額または利用回数などの利用履歴を複数日にまたがって記憶管理させることが好ましく、そのように記憶管理された利用履歴に一定期間内の利用の総量からのめり込み傾向を推定するようにしてもよい。例えば、一定期間内に所定金額（例えば、１週間に１０万円）以上の累積決済金額があった場合、或いは一定期間内に所定回数（例えば、１週間に１０回）以上の利用回数があった場合には、のめり込み傾向にあると推定し、デビット決済を規制する。
【００８５】
すなわち、これによって、１日当り（第一の期間）で制限される利用上限金額を超えないようにデビット決済が行われていたとしても、１週間（第二の期間）で利用履歴に基づき、累積決済金額または利用回数からのめり込み傾向を推定し、のめり込み傾向にある場合にはデビット決済を規制することで、短期間的及び中長期的にものめり込みを防止することができ、利用者によるのめり込みを多重的に防止することが可能になる。
【００８６】
また、上記した実施例１では、決済要求金額及び累積決済金額の和が利用上限金額を超える場合にはデビットカード発行銀行の銀行サーバＡにデビット決済依頼を一律に行わないこととしたが、決済要求金額が利用上限金額を超えない範囲に縮小することを条件にデビット決済を許容してもかまわない。例えば、利用上限金額が１００００円、累積決済金額が５０００円の時にさらに決済要求金額１００００円の決済要求を受け付けた場合には、この決済要求は決済規制部１３３により棄却されることになるが、５０００円以内の決済は認めても問題はなく、かかる５０００円以内であればデビット決済依頼を銀行サーバＡに行うようにしてもよい。すなわち、これによって、遊技客（利用者）が自ら定めた範囲で最大限に遊技を行わせることが可能になる。
【００８７】
（３）その他
また、上記した実施例１では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店及びパチスロ店に本発明を適用する例を説明したが、本発明はこれに限定されるものではなく、ゲームセンタ等の遊技施設にも同様に適用することができる。
【００８８】
また、上記した実施例１では、情報処理センタにデビット決済要求を行うデビット子機６０について説明したが、デビット子機６０とカード発行機５０が一体的に構成されるデビット対応カード発行機や、貨幣処理機能を有さないデビット専用カード発行機にも同様に本発明を適用できる。
【００８９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【００９１】
以上のように、本発明に係る情報処理センタのサーバ装置及び決済制御方法は、利用者によるのめり込みを実効的に防止する場合に適している。
【図面の簡単な説明】
【００９２】
【図１】実施例１に係るデビット決済システムのシステム構成を示すシステム構成図である。
【図２】図１に示したデビット管理装置の構成を示す機能ブロック図である。
【図３】利用者情報管理テーブルに記憶される情報の構成例を示す図である。
【図４】利用履歴管理テーブルに記憶される情報の構成例を示す図である。
【図５】利用上限金額管理テーブルに記憶される情報の構成例を示す図である。
【図６】実施例１に係る利用上限金額設定処理に関する利用者端末およびデビット管理装置間の制御シーケンスを示す図である。
【図７】利用者情報入力画面の一例を示す図である。
【図８】利用上限金額設定画面の一例を示す図である。
【図９】更新完了画面の一例を示す図である。
【図１０】実施例１に係るデビット決済処理に関するカード発行機、デビット子機、デビット管理装置および銀行サーバ間の制御シーケンスを示す図である。
【符号の説明】
【００９３】
１    デビット決済システム
３    公衆回線網
５    ＣＡＦＩＳネットワーク
１０    プリペイドカードＴ／Ｃ
２０    島コントローラ
３０    ＣＲユニット
４０    パチンコ機
５０    カード発行機
６０    デビット子機
１００    デビット管理装置
１１０    通信Ｉ／Ｆ部
１２０    記憶部
１２１    利用者情報管理テーブル
１２２    利用履歴管理テーブル
１２３    利用上限金額管理テーブル
１３０    制御部
１３１    利用上限金額設定部
１３２    上限超過判定部
１３３    決済規制部
１３４    決済処理部
２００    利用者端末
【図１】
2009219797.tif 000003
【図２】
2009219797.tif 000004
【図３】
2009219797.tif 000005
【図４】
2009219797.tif 000006
【図５】
2009219797.tif 000007
【図６】
2009219797.tif 000008
【図７】
2009219797.tif 000009
【図８】
2009219797.tif 000010
【図９】
2009219797.tif 000011
【図１０】
2009219797.tif 000012